(57)【要約】【課題】接着剤を用いることなく、電子黒板装置に使用することが可能な補助シート及び、この補助シート収納部を有する電子黒板装置に関する。【解決手段】本発明は、電子黒板の書き込みシートに付着させて使用するシートであって、付着面を吸着部と非吸着部とで構成し、接着剤を用いず着脱可能に、前記書込みシートに付着させることを特徴としている。また、電子黒板装置において、書き込みシートと、この書き込みシートに書き込まれた筆記画像を読み取る読取り装置と、前記書き込みシートに付着させて使用するシートであって、接着剤を用いず着脱可能に、前記書込みシートに付着させる電子黒板装置用補助シートと、この補助シートを収納するシート収納部とを有することを特徴としている。【選択図】図１
2008080782.tif 000002
【特許請求の範囲】
【請求項１】
電子黒板の書込みシートに付着させて使用するシートであって、付着面を吸着部と非吸着部とで構成し、接着剤を用いず着脱可能に、前記書込みシートに付着させることを特徴とする電子黒板装置用補助シート。
【請求項２】
透明基体と、この透明基体の裏面の左右両端部に設けられた吸着部と、裏面に設けられたマーカーで書込み可能な筆記層とを有することを特徴とする請求項１項記載の電子黒板装置用補助シート。
【請求項３】
前記付着面の非吸着部は、付着面に設けられた複数のスリットであることを特徴とする請求項１項記載の電子黒板装置用補助シート。
【請求項４】
第１の透明基体と、この第１の透明基体の裏面に設けられた透明吸着部と、表面に設けられた第２の透明基体とを有し、前記第１及び第２の透明基体との間に紙やフィルムを挟みこめるようなポケット部を有することを特徴とする電子黒板装置用補助シート。
【請求項５】
書き込みシートと、この書き込みシートに書き込まれた筆記画像を読み取る読取り装置と、前記書き込みシートに付着させて使用するシートであって、接着剤を用いず着脱可能に前記書込みシートに付着させる電子黒板装置用補助シートと、この補助シートを収納する補助シート収納部とを有することを特徴とする電子黒板装置。
【発明の詳細な説明】
【技術分野】
【０００１】本発明は、電子黒板装置の筆記シートに着脱可能に付着する補助シート及び、この補助シートを有する電子黒板装置に関するものである。
【背景技術】
【０００２】電子黒板装置は、白色の書込みシートに、マーカーで文字や図形を記入すると共に、この記入した表面を光学センサーにて画像情報として読み取り、読み取った画像情報を縮小して紙に印刷し、或いは記録する機能を有することを特徴としている。【０００３】電子黒板装置は、本来的に利用者がマーカーによって筆記するものであり、正確な直線や円形状などを描くことが困難である。
しかしながら、テンプレートとして、格子状の線や、直線、円、或いはスポーツの競技エリアを示す形状の線が望まれている。
特開平８−１５２８５９号には、ホワイトボードなどに磁気吸着させる情報掲示シートがしめされている。
この情報提示シートは、プリンタ印字が可能である。
また、特許文献ではないが、従来、樹脂の表面に微細な開口を設けることによって、のりなし吸着することができる吸着シートが知られている。【０００４】
【特許文献１】特開平８−１５２８５９号
【発明の開示】
【発明が解決しようとする課題】
【０００５】上記特許文献１は、強磁性物品表面に磁気によって吸着するものであるため、磁性物品表面を有していない電子黒板装置については使用できない。
また、書込みシートを移送して本体裏面にて、書込み画像を読取る電子黒板装置において使用する場合、本体裏面への回り込みの際、吸着シートが剥がれてしまうため、電子黒板装置における印刷が困難であった。【０００６】従来の吸着シートは、のりなしで着脱が可能ではあるが、剥がした吸着シートの収納が面倒であり、張りっぱなしにするしかなかった。
また、例えば多面書込みシートを有する電子黒板装置や、書込みシートを移送して本体裏面にて、書込み画像を読取る電子黒板装置に使用すると、本体裏面への回り込みの際、吸着シートに皺がよってしまうという問題があった。
これは、書込みシート２に対し、補助シート４の、裏面への回り込み時の半径が大きくなることに起因する。
この回り込み半径の違いにより、移動量が補助シートの方が大きくなり、この移動量が所定以上大きくなると、補助シートが書込みシーとから剥がれ、その後吸着する。この動作が連続することによる。
【課題を解決するための手段】
【０００７】上記課題を解決するため、本発明は、電子黒板の書き込みシートに付着させて使用するシートであって、付着面を吸着部と非吸着部とで構成し、接着剤を用いず着脱可能に、前記書込みシートに付着させることを特徴としている。【０００８】また、電子黒板装置において、書き込みシートと、この書き込みシートに書き込まれた筆記画像を読み取る読取り装置と、前記書き込みシートに付着させて使用するシートであって、接着剤を用いず着脱可能に、前記書込みシートに付着させる電子黒板装置用補助シートと、この補助シートを収納するシート収納部とを有することを特徴としている。
【発明の効果】
【０００９】本発明によれば、接着剤を用いることなく、テンプレートとなる補助シートを書込みシートに付着することができ、また、この補助シートを付着したままで、印刷することが可能となる。
更に、補助シートを使用しない場合に、速やかに電子黒板装置内に収納することが可能となる。
【発明を実施するための最良の形態】
【００１０】以下、本発明を実施するための最良の形態について、図面を参照して詳細に説明する。
【実施例】
【００１１】以下、図に沿って本発明の一実施例を説明する。
図１及び図２は本発明の一実施例を示す正面図である。
１は電子黒板本体、２は本体の表面において、マーカーによって書き込みを行う書込みシートであり、３はこの書込みシートの移動指示や、書込みシートの書込み面を捜査し、筆記画像情報の読込みを行う指示、或いは読込んだデータを図示しないプリンタで印刷する指示などを行う操作パネル、４は例えばテンプレートとして用いる補助シート、５はこの補助シートを収納するシート収納部である。【００１２】シート収納部５は、テンプレートとして、格子状の線の描かれたものや、所定のフォーマットで１．会議議事録のテーマ、２．場所、３．日時、４．参加者などと、記載されたものや、何も記入されていないものなど数種類の補助シートが、夫々ロール状に収納されている。
利用者は、このシート収納部５から、必要とする補助シート４を選択して、図２に示すように、書込みシート２の所定の場所に配置する。【００１３】補助シートを、図３及び図４に示す。
この補助シート４は、厚さ０．１ミリメートルから０．２ミリメートルの樹脂製のシートであり、白色の例えばＰＥＴ（ポリエチレンテレフタレート）の基体６で構成されている。
尚、この補助シート４は厚さが０．１ｍｍより薄いと、形を維持するのが困難となり、任意の場所に、きれいに付着するのが困難となる。
また、この厚さが０．５ｍｍより厚いと、柔軟性が無くなり、書き込みシート２の移送の際、電子黒板装置の裏面への回りこみの部分において、書込みシート２から剥がれてしまう。
このため、補助シート４の厚さは、最適な値を選択している。【００１４】この補助シート４には、１面の左右両端部において、縦方向に、微細な溝が形成された付着部７が設けられている。
この付着部７は例えばアクリル系の樹脂からなる。
この付着部７によって、接着剤を用いることなく、書込みシート２に吸着される。
補助シート４の表面は、図示しないマーカーにより筆記が可能であり、また、一般のプリンタによって、印刷が可能である。
従って、この電子黒板利用者は、例えばパーソナルコンピュータを用いて描いたテンプレート画像を、この補助シートにプリンターによって、印刷して利用することができる。【００１５】操作パネル３によって、コピーを指示するボタンが押されると、図示しないモータが駆動され、補助シートが付着された書込みシート２は、モータによって、移送される。
その移送動作に連動して、図示しない光源及び読取り装置は駆動され、書込みシート２は、光源部付近で照明され、読取装置で画像が順次、縦長のライン状に取込まれる。
本実施例では、補助シート４は、その左右の端部のみ書込みシート２に吸着しているため、電子黒板本体の裏面への回り込みの際にも、剥がれや皺の発生が無くなる。【００１６】読取り装置によって、ライン毎に読取られた画像データは、内部メモリで、合成されて１枚の画像データに構成される。
再度、補助シート４の配置された書込みシート面を、電子黒板装置表面に配置するためには、操作パネル３によって、書込みシート２の移送を行う。【００１７】補助シート４の使用を終わった場合は、補助シート４を書込みシート２から剥がし、補助シート収納部５に収納する。【００１８】補助シート４は、図５に示すような、紙の資料を収納可能なポケット９を有するものであってもよい。
この場合、パーソナルコンピュータなどで作成し、プリンターで印刷した資料を電子黒板装置上に配置し、書込みシートの筆記と共に、電子黒板装置において印刷が可能となる。
尚、このポケット付きの補助シートは、全体を透明な樹脂で構成してもよいし、また、表面側のシートを透明とし、吸着側のシートを不透明としてもよい。【００１９】また、図４に示すように、補助シートの吸着部７に対して、スリット１０を複数形成して、ここを非吸着部としてもよい。【００２０】本発明は、上述の実施例に限定されるものではなく、例えば、読取りシート上の書込み画像を読取る方式は、読取りシート表面をスキャナーが移動して読取る方式でもよい。
また、補助シートの吸着部の大きさやパターン形状は、上記実施例の大きさやパターンに限定されない。
更に、補助シートは、白以外の色や透明な基体を用いてもよい。
【産業上の利用可能性】
【００２１】本発明は、接着剤を用いることなく、補助シートを書込みシート上に配置し、その状態で印刷が可能となり、電子黒板装置の用途が広がる。
【図面の簡単な説明】
【００２２】
【図１】図１は、本発明の実施例の形態に係る主要な構成を示す正面図である。
【図２】図２は、本発明の実施例の形態に係る主要な構成を示す正面図であり、補助シートを吸着させた状態を示している。
【図３】図３は、本発明の実施例の補助シートの側面図である。
【図４】図４は、本発明の実施例の補助シートの裏面図である。
【図５】図５は、本発明の実施例のポケットを有する補助シートの表面図である。
【図６】図６は、本発明の実施例のスリットを有する補助シートの裏面図である。
【符号の説明】
【００２３】２：書込みシート
３：操作パネル
４：補助シート
５：補助シート収納部
６：補助シートの基体
７：補助シートの吸着部
８：補助シートの非吸着部
【図１】
2008080782.tif 000003
【図２】
2008080782.tif 000004
【図３】
2008080782.tif 000005
【図４】
2008080782.tif 000006
【図５】
2008080782.tif 000007
【図６】
2008080782.tif 000008